(57)【要約】【課題】  プレゼンテータが画像表示部をさえぎることなくプレゼンテーションする。【解決手段】  一つの機能を動作させる操作ボタン５４ａ〜５４ｃ、５５ａ〜５５ｃを二つないしは複数設け、プレゼンターあるいは説明員がディスプレイ装置の片側面に立ち、操作ボタン５４ａ〜５４ｃ、５５ａ〜５５ｃを操作しようとする際、手、腕、体などで、どちらの側からでも画面を妨げないところに操作ボタン５４ａ〜５４ｃ、５５ａ〜５５ｃを配置する。【選択図】      図５
2005037882.tif 000002
【特許請求の範囲】
【請求項１】
画像表示部と、前記画像表示部を支持する筐体と、前記筐体に配置されるスイッチとを有するディスプレイ装置において、
前記ディスプレイ装置は複数の前記スイッチを有しており、
前記複数の前記スイッチは同一機能のスイッチであり且つ前記画像表示部に対して左右それぞれに配置されていることを特徴とするディスプレイ装置。
【請求項２】
前記複数の前記スイッチは、前記筐体の画像表示面側に配置されていることを特徴とする請求項１に記載のディスプレイ装置。
【請求項３】
前記複数の前記スイッチは、前記画像表示部の上辺側あるいは下辺側のいずれかに配置されていることを特徴とする請求項２に記載のディスプレイ装置。
【請求項４】
前記複数の前記スイッチは、前記画像表示部の左辺側および右辺側にそれぞれ配置されていることを特徴とする請求項１に記載のディスプレイ装置。
【請求項５】
対物検知センサを更に有することを特徴とする請求項１に記載のディスプレイ装置。
【請求項６】
前記対物検知センサの検知結果により前記複数の前記スイッチの一方を点灯状態とし、他方を非点灯状態にする判別手段を有することを特徴とする請求項５に記載のディスプレイ装置。
【発明の詳細な説明】
【技術分野】
【０００１】
本発明は、スイッチを有するディスプレイ装置に関する。
【背景技術】
【０００２】
従来、大画面の画像表示部を有するディスプレイ装置としては、背面投射型ディスプレイや液晶ディスプレイやプラズマディスプレイ等、様々なものがある。
【０００３】
図１は、そのようなディスプレイ装置の構造の一例を示す正面図である。Ｄ３はこのディスプレイ装置を示し、符号１は画像表示部、１０は筐体、１１は支持台、３２０はスイッチ群を示す。３２１〜３２６はそれぞれスイッチであり、目的の機能毎に設けられている。ディスプレイ装置の中には、画像表示部１の横にスイッチ３２１，…を備え、かかるスイッチによって、画面上に表示されたソフトウェアの操作や、表示画像の切り替えを行うようになっているものがある。
【０００４】
ところで、このようなディスプレイ装置はプレゼンテーションに使用されることもあるが、その場合、発表者Ｃ１は、画像を隠してしまわないように画像表示部の左端か右端に立ちながら説明を行うのが一般的である（図２参照）。
【発明の開示】
【発明が解決しようとする課題】
【０００５】
しかしながら、上述したスイッチ３２１，…が画像表示部１の片側にしか配置されていないような場合（図１参照）、図２に示すように発表者がスイッチ近傍に立っている場合には特に支障は生じないものの、発表者が反対側（スイッチ３２１，…が配置されていない方の側）に立っている場合、スイッチ３２１，…を操作しようとすると画像を遮ることになってしまうという問題があった（図３参照）。
【０００６】
また、図４に示すようにスイッチ３３１，…が中央部に配置されているようなディスプレイ装置Ｄ４の場合には、左右いずれの側から操作しても画像を遮ってしまうという問題があった。
【０００７】
一方、このようなディスプレイ装置はプレゼンテーションだけでなく、駅等の公共施設などにおいて案内表示用に使用される場合があるが、図１や図４に示すようにスイッチが一ヶ所だけに配置されていると、操作性が悪いばかりか、前記画像表示部１も頻繁に遮られる場合があった。
【０００８】
そこで、本発明は、画像の遮りを低減するディスプレイ装置を提供することを目的とするものである。
【課題を解決するための手段】
【０００９】
本発明は、画像表示部と、前記画像表示部を支持する筐体と、前記筐体に配置されるスイッチとを有するディスプレイ装置において、前記ディスプレイ装置は複数の前記スイッチを有しており、前記複数の前記スイッチは同一機能のスイッチであり且つ前記画像表示部に対して左右それぞれに配置されていることを特徴とするものである。
【発明の効果】
【００１０】
本発明によれば、プレゼンテーターがディスプレイ装置の左右のいずれに寄ってプレゼンテーションしても画像表示部を妨げることなくスイッチを操作することが出来る。
【発明を実施するための最良の形態】
【００１１】
本発明のディスプレイ装置は同一機能のスイッチが画像表示部に対してそれぞれ左右に配置されていることを特徴とする。画像表示部に対して左右とは、画像表示部を正面から見た場合の左右ということである。つまり画像表示部には左右端があり両端から等距離の位置を中心とした場合の左右という意味である。従って左右とは画像表示部の上下方向における位置を意味するものではなく、より具体的にはスイッチがそれぞれ画像表示部の下側に配置されていてもよいし、あるいは上側に配置されていてもよい。また画像表示部の外にあって且つ上下端間のどこかに配置されていてもよい。
【００１２】
またスイッチは筐体に配置されていてもよい。筐体とは画像表示部を支持する枠体として機能する部材である。より具体的にいうとスイッチはこの筐体に配置されていることが画面（画像表示部）を妨げないという点で好ましく、更に操作性あるいは小型化という点で好ましい。筐体の形状として、画像表示部を正面から観察する場合画像表示部の辺を周囲するように形成されている形状が好ましい。その場合画像表示部の辺を周囲する位置、即ち画像表示部を正面から観察した場合画像表示部と共に観察できる面にスイッチが配置されていてもよい。この場合、スイッチと画像表示部とが同一側に配置されているのでディスプレイ装置のそれ以外の側（例えば側部）を壁などに近づけてディスプレイ装置を配置することが出来る。あるいは画像表示部を正面から観察した場合、筐体側部面は観察できないがその共体側部面にスイッチが配置されていてもよい。その場合画像表示部を観察する者からはスイッチ部が見えない。
【００１３】
また本発明のディスプレイ装置は機能毎に上記複数のスイッチを更に有してもよい。
【００１４】
ところでディスプレイ装置は対物センサを有することが好ましい。この対物センサはプレゼンテーターの位置を検知するためのものであり、判別手段によりセンサの検知結果を元にプレゼンテーターが操作しやすい側のスイッチを点灯することが出来る。その結果プレゼンテーターはスイッチの位置に迷うことなくプレゼンテーションを行うことが出来る。更に部屋の明かりを暗くしてプレゼンテーションする場合などは好ましい。
【００１５】
ディスプレイ装置はプレゼンテーターの位置を把握できれば対物センサを１つ有していてもよくあるいは複数有していてもよい。
【００１６】
以下に更に詳細に説明する。
【００１７】
（第１の実施の形態）
図５は、本発明に関わる説明図、図６は本発明を説明するフローチャート図である。
【００１８】
図５の５１は画面の表示部分（画像表示部）、５２は画像表示装置の上の筐体部分、５３は画像表示装置の下の筐体部分（支持体）、５４ａ、５４ｂ、５４ｃ、５５ａ、５５ｂ、５５ｃは機能を制御する操作ボタン（スイッチ群）である。
【００１９】
ただし、操作ボタン５４ａと操作ボタン５５ａは同じ機能を制御する役割を果たす。
【００２０】
５４ｂと５５ｂも同様、また、５４ｃと５５ｃもまたしかりである。つまり同一機能のスイッチが複数配置されており且つ機能毎にその同一機能のスイッチが複数配置されている。
【００２１】
以上の構成の元、説明をすると、まず、プレゼンター及び説明者は大画面の画像表示装置の片側面に立ち（図中は向かって画面１の左側）、プレゼンテーション及び画面内容の説明を行う。この時、プレゼンターはプレゼンテーションを聞いている人達に画面をきちんと見せていなければならず、体の一部で画面の視野を遮ることがないように、気をつけなければならない。説明を進行していくうちに、画面表示の変更の必要が生じてくる（例えば、ページ送りなど）。
【００２２】
例えば、操作ボタン５５ａ、５４ａをページ送りの機能に割り当てていたとすると、プレゼンターは現在の位置（向かって画面１の左側）の位置にいながら、操作ボタン５５ａを押し、画面１を遮ることなくページ送りの動作を遂行することができる。また、プレゼンターが向かって画面１の右側に位置し（図面なし）、説明をしていて、ページ送りの動作を遂行したい時は、操作ボタン５４ａを押すことによって、画面１を体の一部などで遮ることなく実行できる。
【００２３】
次に、図６のフローチャート図において、まず、操作ボタン５４ａを押すか否かを判別し（ステップ１）、押された場合、押された操作ボタン５４ａに対応する機能が動作し（ステップ２）、画面１に表示される（ステップ３）、その後、他の処理に移り（ステップ４）、再度ステップ１に戻る。また、ステップ１において、操作ボタン５４ａを押さない場合、操作ボタン５５ａを押すか否かを判別し（ステップ５）、押さない場合は、他の処理をして（ステップ６）、ステップ１に戻る。押した場合は、押された操作ボタン５５ａ対応する機能（この場合操作ボタン５４ａと操作ボタン５５ａの機能は同一である）が動作し（ステップ２）、画面１に表示される（ステップ３）、その後、他の処理に移り（ステップ４）、再度ステップ１に戻る。
【００２４】
図７は本実施形態を説明する他の説明図である。
【００２５】
図５に係るディスプレイ装置と異なるところは、操作ボタンの配置が画面１の下面の左右に配置されているところである。
【００２６】
この場合も、プレゼンターはプレゼンテーション中に画面１を、体などで遮ることなく操作ボタンに触れることができる。
【００２７】
図８も本実施形態を説明する他の説明図である。
【００２８】
図５に係るディスプレイ装置と異なるところは、操作ボタンの配置が画面１の上面の左右に配置されているところである。
【００２９】
この場合も、プレゼンターはプレゼンテーション中に画面１を、体などで遮ることなく操作ボタンに触れることができる。
【００３０】
以上に説明したとおり、本実施形態によると、一つの機能を動作させる操作ボタンを二つないしは複数設け、プレゼンターあるいは説明員がディスプレイ装置の片側面に立ち、操作ボタンを操作しようとする際、手、腕、体などで、どちらの側からでも画面を妨げないところに操作ボタンを配置したことにより、プレゼンターが画面の横に立ち説明をし、機器に設置してある操作ボタンを操作しようとしても、プレゼンターの体などで、画面が遮られることがない画像表示装置を提供することができる。
【００３１】
（第２の実施の形態）
本実施の形態に係るディスプレイ装置は対物センサ（検知手段）を有することを特徴とする。
【００３２】
本実施の形態に係るディスプレイ装置は、図９及び図１０に符号Ｄ１で示す。符号１０は筐体、符号２Ｌ２Ｒはそれぞれ対物センサ（より具体的には人検知手段）、１１は支持台、３Ｌ３Ｒはそれぞれスイッチ群を指す。本実施の形態に係るディスプレイ装置は、画像を表示する画像表示部１と、種々の操作を実行するためのスイッチ３１Ｌ，３２Ｌ，３３Ｌ，…，３１Ｒ，３２Ｒ，３３Ｒ，…と、を備えている。このスイッチ３１Ｌ，３２Ｌ，３３Ｌ，…，３１Ｒ，３２Ｒ，３３Ｒ，…は、前記画像表示部１に対して左側と右側とにそれぞれ配置されていて、少なくとも主要な操作に関しては、左側のスイッチによっても右側のスイッチによっても実行できるようになっている。ここで、「少なくとも主要な操作に関しては左側スイッチによっても右側スイッチによっても実行できる」とは、
・  左側スイッチ群３Ｌの全てのスイッチと右側スイッチ群３Ｒの全てのスイッチとによって同じ操作を実行できるというケースだけでなく、
・  左側スイッチ群３Ｌの一部のスイッチ（例えば、３１Ｌ，３２Ｌ，３３Ｌの３つのスイッチ）と右側スイッチ群３Ｒの一部のスイッチ（例えば、３１Ｒ，３２Ｒ，３３Ｒの３つのスイッチ）とだけが同じ操作を実行できるというケースも含む概念である。したがって、
・  残りの左側スイッチ３４Ｌ，…と右側スイッチ３４Ｒ，…とは同じ操作を実行するものでなくても、
・  左側のスイッチ３１Ｌ，３２Ｌ，３３Ｌ，…と右側のスイッチ３１Ｒ，３２Ｒ，３３Ｒ，…とは同じ数でなくても、左右対称の位置に配置されていなくても、
良い。なお、上述したスイッチ３１Ｌ，３２Ｌ，３３Ｌ，…，３１Ｒ，３２Ｒ，３３Ｒ，…は自発光型のものである。
【００３３】
また、図１１は本実施形態に係るディスプレイ装置が有する人検知手段（以下人感センサとも表記する）が検知できる領域を説明するためにディスプレイ装置を鉛直方向から図示した模式図である。このディスプレイ装置Ｄ１は、前記左側のスイッチ３１Ｌ，３２Ｌ，３３Ｌ，…の近傍の領域（つまり、図１１に符号Ａ１で示す領域）や前記右側のスイッチ３１Ｒ，３２Ｒ，３３Ｒ，…の近傍の領域（つまり、図１１に符号Ａ２で示す領域）に人がいるか否かを検知する人検知手段２Ｌ，２Ｒと、該人検知手段２Ｌ，２Ｒからの信号を受けてスイッチ３１Ｌ，３２Ｌ，３３Ｌ，…，３１Ｒ，３２Ｒ，３３Ｒ，…の点灯を制御する点灯制御部（不図示）と、を備えており、該点灯制御部は、人がいることを検知した側のスイッチ３１Ｌ，３２Ｌ，３３Ｌ，…，３１Ｒ，３２Ｒ，３３Ｒ，…を点灯させるようになっている。
【００３４】
点灯制御部は、
・  前記人検知手段２Ｌが左側のスイッチの近傍Ａ１に人がいることを検知した場合には左側スイッチ３１Ｌ，…を点灯させ、
・  前記人検知手段２Ｒが右側のスイッチの近傍Ａ２に人がいることを検知した場合には右側スイッチ３１Ｒ，…を点灯させる、
ものである。この場合、左側スイッチ３１Ｌ，…の全て（或いは右側スイッチ３１Ｒ，…の全て）を点灯させる必要はなく、ディスプレイ装置の動作状況を判断した上で必要なスイッチのみを選択的に点灯させるようにしても良い。なお、点灯制御部は、人がいないことを検知した側のスイッチ３１Ｌ，…又は３１Ｒ，…を消灯状態又は減光状態にすると良い。
【００３５】
一方の人検知手段２Ｌ，２Ｒは、人の有無を検知する複数の人感センサによって構成すると良く、例えば、
・  左側のスイッチの近傍Ａ１に人がいるか否かを検知する左側人感センサ２Ｌと、
・  右側のスイッチの近傍Ａ２に人がいるか否かを検知する右側人感センサ２Ｒと、
によって構成すると良い。なお、図９においては人感センサ２Ｌ，２Ｒは左右対称の位置にそれぞれ配置されているが、もちろんこれに限られるものではない。また、左右の人感センサ２Ｌ，２Ｒには同じ構造のもの（例えば、焦電型赤外線センサ）を用いても、異なる構造のものを用いても良く、複数の異なる検出方法を持つセンサを組み合わせて使用しても良い。さらに、図１１に示す検知領域Ａ１，Ａ２は重ならないようになっているが、重なるように設定しても良い（図２４の符号Ａ３参照）。この場合、重なる範囲で人が検知された場合は、前記各スイッチ群３Ｌ、３Ｒは共に点灯させる指示とすれば良い。また、前記人検知手段の検知領域は変更できるようにしても良い。
【００３６】
上述したディスプレイ装置に情報処理装置を接続して該情報処理装置によって実行されるソフトウェアを画像表示部１に表示させ、各スイッチ３１Ｌ，…，３１Ｒ，…によって該ソフトウェアを操作できるようにすると良い。前記制御部は、ソフトウェアの実行に必要なスイッチのみを点灯させるようにすると良い。
【００３７】
次に、本実施の形態の効果について説明する。
【００３８】
本実施の形態によれば、スイッチ３１Ｌ，…，３１Ｒ，…は画像表示部１の左側及び右側の両方にそれぞれ配置されていて、主要な操作に関しては、左側のスイッチ３１Ｌ，…によっても右側のスイッチ３１Ｒ，…によっても実行できるようになっている。したがって、このディスプレイ装置を用いて人前でプレゼンテーション等を行う場合、発表者は、画像表示部１の左右いずれの側に立っていても、近い方のスイッチ３１Ｌ，…又は３１Ｒ，…を操作すれば足り、画像を遮ることを回避できる。また、複数の人（操作者や発表者）がいる場合においても、操作者は自分から近い側の前記スイッチ群を操作すれば良く、前記画像表示部１を操作者が遮ることが少なくすることが可能となる。
【００３９】
ところで、本実施の形態によれば、主要な操作に関して左右両側にスイッチを設けていて、その分だけスイッチ数が増えており、画像表示部１を見た場合、スイッチがやたら目立ってしまうおそれがある。しかし、スイッチ自体をできるだけ目立たなくしておく（例えば、装置筐体と同色にし、かつ凹凸が目立たないようにしておく）と共に、操作可能なスイッチだけ点灯させるようにしておいて他のスイッチは消灯状態或いは減光状態にしておくことにより、そのような問題を回避できる。
【００４０】
また、本ディスプレイ装置を、公共施設等、不特定多数の操作者が使用する各種案内表示として利用する場合等、操作者が装置の操作に慣れていない場合には、操作者は、スイッチの数が増加すると、どのスイッチを操作すべきかが判りづらくなる可能性があり、操作者を混乱させる可能性があったが、本発明においては、操作者がいない側の前記スイッチ群は消灯または減光されているため、操作者を混乱させる事を少なくする事が可能となる。
【００４１】
以下、実施例に沿って本実施形態を更に詳細に説明する。
【００４２】
（実施例１）
本実施例では、図９及び図１０に示す構造のフラットパネルディスプレイ装置を作製した。
【００４３】
すなわち、大画面の画像表示部１の左右両側にはそれぞれスイッチ３１Ｌ，３２Ｌ，３３Ｌ，…，３１Ｒ，３２Ｒ，３３Ｒ，…を配置し、左側のスイッチ３１Ｌ，３２Ｌ，３３Ｌ，…によっても右側のスイッチ３１Ｒ，３２Ｒ，３３Ｒ，…によっても同じ操作（ソフトウェアの操作や表示画像切り換え操作）を実行できるようにした。そして、各スイッチ３１Ｌ，…，３１Ｒ，…の下側には人感センサ２Ｌ，２Ｒをそれぞれ配置して、図１１に符号Ａ１，Ａ２で示す領域に人がいるか否かを検知できるようにした。ここで、図１１は、本実施例における左側人感センサ２Ｌおよび右側人感センサ２Ｒの検知領域を示す平面図であるが、左側人感センサ２Ｌは中心角θ２Ｌで半径Ｌ２Ｌの扇型領域を検知し、右側人感センサ２Ｒは中心角θ２Ｒで半径Ｌ２Ｒの扇型領域を検知するように構成した。各スイッチ３１Ｌ，…，３１Ｒ，…には、自発光式の照明手段を内蔵するものを用い、点灯制御部（不図示）を介して人感センサ２Ｌ，２Ｒを接続した。その結果、画像表示部１の右側に人がいれば、それを検知した右側人感センサ２Ｒが制御部に対して信号を送り、制御部は右側のスイッチ３１Ｒ，…を点灯させることとなる。また、画像表示部１の左側にいれば、それを検知した左側人感センサ２Ｌが制御部に対して信号を送り、制御部は左側のスイッチ３１Ｌ，…を点灯させることとなる（詳細は後述）。
【００４４】
この人感センサ２Ｌ，２Ｒは、図１２に示すように、焦電型赤外線センサ２０と、焦電型赤外線センサ２０の検知距離および検知範囲を決める為のフレネルレンズ２１とによって構成した（フレネルレンズ２１は、所望の範囲内に人が入った場合に、前記焦電型赤外線センサ２０が、これを検知できるよう光学的に設計した）。
【００４５】
なお、図９，１０の符号１０は画像表示部１の筐体を示し、符号１１は画像表示部１の支持台を示す。
【００４６】
以下、左右スイッチ３１Ｌ，…，３１Ｒ，…の点灯制御について図１３及び図１４に沿って説明する。
【００４７】
装置の電源が投入されると、左側人感センサ２Ｌは検知領域Ａ１内のセンシングを開始し（Ｓ１０１）、制御部は（人の有無にかかわらず）左側スイッチ群３Ｌを点灯させる（Ｓ１０２）。そして、左側人感センサ２Ｌが人を検知すると制御部は左側スイッチ群３Ｌの点灯を継続し（Ｓ１０３，Ｓ１０４）、左側人感センサ２Ｌが人を検知しないと制御部は左側スイッチ群３Ｌを消灯させる（Ｓ１０３，Ｓ１０５）。そして、この消灯状態は、左側人感センサ２Ｌが人を検知するまで維持される（Ｓ１０６，Ｓ１０７）。右側のスイッチ３１Ｒ，…についても同様の制御が行われる（図１４参照）。
【００４８】
本実施例によれば、スイッチ３１Ｌ，…，３１Ｒ，…は画像表示部１の左側及び右側の両方にそれぞれ配置されていて、左側のスイッチ３１Ｌ，…によっても右側のスイッチ３１Ｒ，…によっても同じ操作を実行できるようになっている。したがって、このディスプレイ装置を用いて人前でプレゼンテーション等を行う場合、発表者（ディスプレイ装置の操作者）は、画像表示部１の左右いずれの側に立っていても、近い方のスイッチ３１Ｌ，…又は３１Ｒ，…を操作すれば足り、画像を遮ることを回避できる。
【００４９】
（実施例２）
本実施例においては下表右側のようにスイッチを点灯制御した。その他の制御方法やディスプレイ装置自体の構成は実施例１と同じにした。
【００５０】
【表１】
2005037882.tif 000003
【００５１】
本実施例によれば、実施例１における効果に加えて、前記人感センサが人を検知したときのみ、前記制御部に信号を伝達する設定とすれば、前記スイッチを点灯させたくない場合には、前記制御部と前記人感センサとの接続を遮断するだけで良く、構成が簡略化できる。
【００５２】
（実施例３）
本実施例では、図９及び図１０に示すディスプレイ装置に情報処理装置を接続し、その情報処理装置によって実行されるソフトウエアを画像表示部１に表示させるようにした。そして、情報処理装置からの指示はディスプレイ装置の制御部に入力され、前記制御部によって前記ディスプレイ装置の各スイッチは、前記情報処理装置のソフトウエアを操作する操作部として、それぞれ割り当てられるようにした。したがって、操作者が各スイッチを操作すると、前記制御部を経由して前記情報処理装置に信号が伝達され、ソフトウェアを操作できるようになる。この点を図１７乃至図１９に沿って説明する。
【００５３】
いま、情報処理装置がソフトウェアを実行すると（図１７のＳ７０１）、制御部は前記各左側スイッチ３１Ｌ〜３６Ｌ及び各右側スイッチ３１Ｒ〜３６Ｒに、前記情報処理装置が稼働させるソフトウエアを操作する機能を割り当てる（Ｓ７０２）。ここで、左側スイッチ３１Ｌと右側スイッチ３１Ｒはそれぞれ同一の機能を有しており、符号３２Ｌと３２Ｒ以降、３６Ｌと３６Ｒまでそれぞれ同一の機能を割り当てる。
【００５４】
さらに、前記情報処理装置は、ディスプレイ装置の表示画面に各スイッチの機能を表示させる（Ｓ７０３）。具体的には、図１９に符号１０１Ｌ，１０１Ｒで示すように、各スイッチに対応する箇所にそれぞれの機能を表示する。ここで、前記情報処理装置が各スイッチにそれぞれ機能を割り当てる際に、使用しないスイッチが有る場合、前記制御部に、使用するスイッチの照明のみを点灯する、または、使用しないスイッチの照明を消灯、もしくは減光する指示を与える（図１７のＳ７０４）。
【００５５】
ここで、左側スイッチの点灯制御の方法を図１８に沿って説明する。
【００５６】
装置の電源が投入されると、左側人感センサ２Ｌは検知を開始すると共に（Ｓ８０１）、前記情報処理装置より指示されたスイッチを点灯させる（Ｓ８０２）。そして、左側人感センサ２Ｌが人を検知すると制御部はその左側スイッチの点灯状態を継続し（Ｓ８０３、Ｓ８０４）、左側人感センサ２Ｌが人を検知しないと制御部は左側スイッチを消灯させる（Ｓ８０３、Ｓ８０５）。この消灯状態は、左側人感センサ２Ｌが人を検知するまで維持される（Ｓ８０６，Ｓ８０７）。右側スイッチについても同様の制御が行われる。
【００５７】
本実施例によれば、ソフトウェアの機能が割り当てられるスイッチのみを点灯し、ソフトウェアの機能が割り当てられないスイッチは消灯状態又は減光状態にすることで、操作者の誤操作をさらに低減させることが可能になる。
【００５８】
（実施例４）
本実施例では図２０に示すディスプレイ装置Ｄ２を作製した。すなわち、画像表示部１の下方に４つの人感センサ２１１Ｌ，２１２Ｌ，２１２Ｒ，２１１Ｒを配置し、
・  左外側の人感センサ２１１Ｌによって図２１に符号Ａ２０，Ａ２１で示す領域を検知し、
・  左内側の人感センサ２１２Ｌによって図２１に符号Ａ２１，Ａ２２，Ａ２３で示す領域を検知し、
・  右内側の人感センサ２１２Ｒによって図２１に符号Ａ２３，Ａ２４，Ａ２５で示す領域を検知し、
・  右外側の人感センサ２１１Ｒによって図２１に符号Ａ２５，Ａ２６で示す領域を検知する、
ようにした。その他の構成は図９に示すディスプレイ装置Ｄ１と同様とした。
【００５９】
以下、左右スイッチ３１Ｌ，…，３１Ｒ，…の点灯制御について図２２及び図２３に沿って説明する。
【００６０】
装置の電源が投入されると、全ての人感センサ２１１Ｒ，２１２Ｒ，２１１Ｌ，２１２Ｌは各検知領域内のセンシングを開始し（図２２のＳ５０１）、制御部は（人の有無にかかわらず）左側スイッチ群３Ｌを点灯させる（Ｓ５０２）。次に、制御部は、左外側の人感センサ２１１Ｌからの情報により人の有無を判断し（Ｓ５０３）、その人感センサ２１１Ｌが人を検知すると制御部は左側スイッチ群３Ｌの点灯を継続する（Ｓ５１３）。その人感センサ２１１Ｌが人を検知しなくても左内側の人感センサ２１２Ｌが人を検知すると制御部は左側スイッチ群３Ｌの点灯を継続する（Ｓ５０４，Ｓ５１３）。そして、左外側センサ２１１Ｌ及び左内側センサ２１２Ｌがオフで右内側センサ２１２Ｒ及び右外側センサ２１１Ｒがオンの場合には左側スイッチ群３Ｌが消灯され、左外側センサ２１１Ｌ及び左内側センサ２１２Ｌがオフで右内側センサ２１２Ｒがオフの場合にも左側スイッチ群３Ｌが消灯される（Ｓ５０６）。
【００６１】
制御部が左側スイッチ群３Ｌを消灯させた場合は（Ｓ５０６）、人感センサ２１１Ｌ，２１２Ｌ，２１２Ｒ，２１１Ｒによるセンシングを継続する（Ｓ５０８〜Ｓ５１２）。以上のプロセスにより、Ａ２０〜Ａ２４の領域に人がいる場合に、左側スイッチ群３Ｌが点灯することになる（下表参照）。
【００６２】
【表２】
2005037882.tif 000004
【００６３】
次に、全ての人感センサ２１１Ｒ，２１２Ｒ，２１１Ｌ，２１２Ｌは各検知領域内のセンシングを開始し（図２３の６０１）、制御部は（人の有無にかかわらず）右側スイッチ群３Ｒを点灯させる（Ｓ６０２）。次に、制御部は、右外側の人感センサ２１１Ｒからの情報により人の有無を判断し（Ｓ６０３）、その人感センサ２１１Ｒが人を検知すると制御部は右側スイッチ群３Ｒの点灯を継続する（Ｓ６１３）。その人感センサ２１１Ｒが人を検知しなくても右内側の人感センサ２１２Ｒが人を検知すると制御部は右側スイッチ群３Ｒの点灯を継続する（Ｓ６０４，Ｓ６１３）。そして、右内側センサ２１２Ｒ及び右外側センサ２１１Ｒがオフで左外側センサ２１１Ｌ及び左内側センサ２１２Ｌがオンの場合には右側スイッチ群３Ｒが消灯され、右内側センサ２１２Ｒ及び右外側センサ２１１Ｒがオフで左内側センサ２１２Ｌがオフの場合にも右側スイッチ群３Ｒが消灯される（Ｓ６０６）。
【００６４】
制御部が右側スイッチ群３Ｒを消灯させた場合は（Ｓ６０６）、人感センサ２１１Ｌ，２１２Ｌ，２１２Ｒ，２１１Ｒによるセンシングを継続する（Ｓ６０８〜Ｓ６１２）。以上のプロセスにより、Ａ２２〜Ａ２６の領域に人がいる場合に、右側スイッチ群３Ｒが点灯することになる（下表参照）。
【００６５】
【表３】
2005037882.tif 000005
【００６６】
本実施例のプロセスによると、Ａ２２、Ａ２３、Ａ２４の検知領域内に人がいると判断した場合には、人は複数または前記画像表示部１の前側にいると判断し、前記左側スイッチ群３Ｌおよび右側スイッチ群３Ｒの両方の照明が点灯され、Ａ２０、Ａ２１の領域内に人がいると判断した場合には左側スイッチ群３Ｌのみが点灯され、Ａ２５，Ａ２６の領域内に人がいると判断した場合には右側スイッチ群３Ｒのみが点灯される。
【００６７】
なお、このディスプレイ装置に実施例３と同様の情報処理装置を接続しても良い。
【００６８】
また、本実施例では４つの人感センサを用いているが、もちろんこれに限られるものではなく、３つ、或いは５つ以上の人感センサを用いても良い。
【００６９】
本実施例によれば、４つの人感センサを用いているため、人の位置を正確に判断することができ、スイッチ群の照明状態も細かく制御することができる。
【００７０】
以上説明したように、本実施形態によると、スイッチは画像表示部の左側及び右側の両方にそれぞれ配置されていて、主要な操作に関しては、左側のスイッチによっても右側のスイッチによっても実行できるようになっている。したがって、このディスプレイ装置を用いて人前でプレゼンテーション等を行う場合、発表者は、画像表示部の左右いずれの側に立っていても、近い方のスイッチを操作すれば足り、画像を遮ることを回避できる。
【図面の簡単な説明】
【００７１】
【図１】スイッチが片側に配置されているディスプレイ装置の構造の一例を示す正面図。
【図２】スイッチが片側に配置されているディスプレイ装置の使用状態の一例を示す正面図。
【図３】スイッチが片側に配置されているディスプレイ装置の問題点を説明するための模式図。
【図４】スイッチが片側に配置されているディスプレイ装置の構造の他の例を示す正面図。
【図５】第１の実施の形態に係るディスプレイ装置を示す模式図。
【図６】第１の実施の形態に係るフローチャート。
【図７】第１の実施の形態に係る他のディスプレイ装置を示す模式図。
【図８】第１の実施の形態に係る他のディスプレイ装置を示す模式図。
【図９】第２の実施の形態に係るディスプレイ装置を示す模式図。
【図１０】第２の実施の形態に係るディスプレイ装置を示す別の模式図。
【図１１】第２の実施の形態に係るディスプレイ装置の対物センサのセンサ範囲を示す模式図。
【図１２】対物センサの模式図。
【図１３】左側スイッチの点灯制御の様子を示すフローチャート図。
【図１４】右側スイッチの点灯制御の様子を示すフローチャート図。
【図１５】左側スイッチの点灯制御の様子を示すフローチャート図。
【図１６】右側スイッチの点灯制御の様子を示すフローチャート図。
【図１７】情報処理装置の作用を説明するためのフローチャート図。
【図１８】左側スイッチの点灯制御の様子を示すフローチャート図。
【図１９】各スイッチの機能を説明するための模式図。
【図２０】第２の実施の形態に係る他のディスプレイ装置を示す模式図。
【図２１】図２０のディスプレイ装置が有する対物センサのセンサ範囲を示す模式図。
【図２２】左側スイッチの点灯制御の様子を示すフローチャート図。
【図２３】右側スイッチの点灯制御の様子を示すフローチャート図。
【図２４】対物センサのセンサ範囲が重なる様子を示す模式図。
【符号の説明】
【００７２】
５１  画像表示部
５２  筐体（画像表示装置の上筐体）
３３  支持部（画像表示装置の下筐体）
５４ａ、５４ｂ、５４ｃ  スイッチである操作ボタン
５５ａ、５５ｂ、５５ｃ  スイッチである操作ボタン
１    画像表示部
２Ｌ  左側人感センサ（対物センサ）
２Ｒ  右側人感センサ（対物センサ）
３１Ｌ，…  左側スイッチ
３１Ｒ，…  右側スイッチ
【図１】
2005037882.tif 000006
【図２】
2005037882.tif 000007
【図３】
2005037882.tif 000008
【図４】
2005037882.tif 000009
【図５】
2005037882.tif 000010
【図６】
2005037882.tif 000011
【図７】
2005037882.tif 000012
【図８】
2005037882.tif 000013
【図９】
2005037882.tif 000014
【図１０】
2005037882.tif 000015
【図１１】
2005037882.tif 000016
【図１２】
2005037882.tif 000017
【図１３】
2005037882.tif 000018
【図１４】
2005037882.tif 000019
【図１５】
2005037882.tif 000020
【図１６】
2005037882.tif 000021
【図１７】
2005037882.tif 000022
【図１８】
2005037882.tif 000023
【図１９】
2005037882.tif 000024
【図２０】
2005037882.tif 000025
【図２１】
2005037882.tif 000026
【図２２】
2005037882.tif 000027
【図２３】
2005037882.tif 000028
【図２４】
2005037882.tif 000029